(57)【要約】【課題】天候に関係なく、室内において、ドローン、ヘリコプター等の無人飛行機を飛行させて飛行練習又は飛行競技をさせると共に、飛行に関係する人員や見学者が前記無人飛行機に衝突する事故を未然に防止する安全管理ができるようにした飛行装置をつくる。【解決手段】鋼製管、鋼製部品等により箱状枠組み（１０）を設け、前記箱状枠組み（１０）の外側に、透明フィルム製の被覆袋（２０）を被覆して、前記被覆袋（２０）内で、前記無人飛行機（図示しない）を飛行させる飛行装置である。【選択図】        図１−１
2020178971.tif 000002
【特許請求の範囲】
【請求項１】
鋼管製柱状物及び鋼管製梁状物、ねじ止着による鋼製３方継手及び車輪付の４方継手を介して鋼製箱状枠をつくり、前記箱状枠の外側を、上面部及び各側面部が透明合成樹脂フィルム製の箱状袋により被覆し、床面から約１５センチメートルの高さまでは、前記箱状袋の各側面部に、発泡ポリウレタン等の発泡プラスチック板をシリコーン接着剤を介して接着して前記箱状袋内の無人飛行機等を取り出すことができるようにし、前記箱状袋の内部に、ドローン等の無人飛行機を飛行させて飛行練習又は飛行競技ができるようにすると共に、前記無人飛行機の飛行に従事する人員及び見学者等が前記無人飛行機の飛行に衝突する事故を前記箱状袋によって未然に防止する安全管理ができるようにしたことを特徴としたドローン等の無人飛行機の飛行練習用又は飛行競技用の飛行装置。
【請求項２】
鋼管製柱状物及び鋼管製梁状物、ねじ止着による鋼製３方継手、鋼製内接中間継手又はねじ止着による外接合成樹脂製中間継手を介してテーブル、机等の上に置けるサイズの鋼製箱状枠をつくり、前記箱状枠の外側を、上面部及び各側面部が透明合成樹脂フィルム製の箱状袋により被覆し、前記箱状袋の内部に、モデルドローン、モデルヘリコプター等の無人飛行機を飛行させて飛行練習又は飛行競技ができるようにすると共に、前記無人飛行機の飛行に従事する人員及び見学者等が前記無人飛行機の飛行に衝突する事故を前記箱状袋によって未然に防止する安全管理ができるようにしたことを特徴としたドローン等の無人飛行機の飛行練習用又は飛行競技用の飛行装置。
【請求項３】
鋼管製柱状物及び鋼管製梁状物、ねじ止着による鋼製３方継手、鋼製内接中間継手又はねじ止着による外接合成樹脂製中間継手を介して鋼製箱状枠をつくり、前記箱状枠の外側を、上面部及び各側面部が透明合成樹脂フィルム製の箱状袋により被覆し、床面から約１５センチメートルの高さまでは、前記箱状袋の各側面部に、発泡ポリウレタン等の発泡プラスチック板をシリコーン接着剤を介して接着して前記箱状袋内の無人飛行機を取り出すことができるようにし、前記箱状袋の内部に、ドローン等の無人飛行機を飛行させて飛行練習又は飛行競技ができるようにすると共に、前記無人飛行機の飛行に従事する人員及び見学者等が前記無人飛行機の飛行に衝突する事故を前記箱状袋によって未然に防止する安全管理ができるようにしたことを特徴としたドローン等の無人飛行機の飛行練習用又は飛行競技用の飛行装置。
【発明の詳細な説明】
【技術分野】
【０００１】
本発明は、ドローン、ヘリコプター等の無人飛行機を飛行させて飛行練習又は飛行競技を行うための飛行装置に関する。
【背景技術】
【０００２】
上記無人飛行機は、屋外で飛行練習又は飛行競技を行うことは、天候以外にも、建物、器物、人畜に被害を及ぼす恐れがあり、また、屋内でも前述同様の恐れがある。
そこで、本発明者は、天候、風雨に影響されず、建物、器物に損傷を与えず、また、人畜に被害を及ぼさないように、正確に飛行練習や飛行競技ができる飛行装置を開発することに成功した。
【先行技術文献】
【特許文献】
【０００３】
【非特許文献１】矢崎化工株式会社  イレクターＤＩＹハンドブックイレクターパイプ  カラーリスト、４ページパイプつなぎ  プラスチック  Ｊ−２３Ａ、２１ページパイプつなぎ金具  ６５、３８ページキャスター、３６ページねじ付き３方継手  ＨＪ−２（４方継手）、１２ページ  https://www.diy-life.net/wp/wp-content/uploads/2018/09/DE-185.pdf
【非特許文献２】株式会社オーム電機  デジタルタイマー  品番０７−３７８７http://www.ohm-electric.co.jp/product/c17/c1707/28427/
【非特許文献３】ＡＧＣグリーンテック株式会社  エフクリーンフィルム  １００μｍ  補修テープ（透明）５０ｍｍ×１０ｍ巻http://www.f-clean.com/lineup/
【非特許文献４】ＡＧＣ株式会社  アフレックスフィルム  １００μｍhttp://www.fluon.jp/products/aflex/index.html
【非特許文献５】ダイキン株式会社  ネオフロンＥＴＦＥフィルム  １００μｍhttp://www.daikin.co.jp/chm/products/film/index.html
【非特許文献６】ヨドバシｃｏｍ通販  模型ドローン、ヘリコプターhttps://www.yodobashi.com/category/141001/141336/141393/141395/?discontinued=false&word=%E3%81%8A%E3%82%82%E3%81%A1%E3%82%83
【非特許文献７】ヨドバシｃｏｍ通販  ドローン  Hitec Multiplex Japan ハイテックマルチブレックスジャパンHW903HS-B Racer ブルー  （ラジコン）https://www.yodobashi.com/product/100000001004107492/
【非特許文献８】シリコーン接着剤、Ｊ−６７２ページ、オレンジブックジュニア２０１９年http://trusco.meclib.jp/orangebookJr_2019/book/index.html#target/page_no=1
【発明の概要】
【発明が解決しようとする課題】
【０００４】
本発明は、風圧に影響されずに、ドローン等の無人飛行機を飛行させて正確に飛行練習又は飛行競技が行えるようにした飛行装置を提供するものである。
また、本発明は、指導者、飛行練習者、飛行競技者及び見学者等が前記無人飛行機に衝突する事故を未然に防止する安全管理ができるようにした飛行装置を提供するものである。
また、本発明は、家庭内で、小さい床面積を利用して、年少者、婦人、高齢者等が、模型タイプの無人飛行機を、ゲーム感覚で飛行させて、安全に全員が楽しめるようにした飛行装置を提供するものである。
さらに、本発明は、１機の無人飛行機を複数の飛行練習者が交替して飛行練習できるようにし、また、無人飛行機１機を使用して複数の飛行競技者が一定の競技内容を正確に飛行する飛行時間の早さを、光及び音の出るタイムウォッチで測る競技を提供できるようにした飛行装置を提供するものである。
【課題を解決するための手段】
【０００５】
請求項１に記載された本発明のドローン等の無人飛行機（図示しない）の飛行練習用又は飛行競技用の飛行装置は、上記課題を達成するため、図１−１に図示するように、鋼管製柱状物（１５、１５、１６、１６）及び鋼管製梁状物（１１、１１、１２、１２、１３、１３、１４、１４）、ねじ止着による鋼製３方継手（１７、１７、１７、１７）及び車輪（１８、１８、１８、１８）付の４方継手（１７、１７、１７、１７）を介して鋼製箱状枠（１０）をつくり、前記箱状枠（１０）の外側を、上面部（２１）及び各側面部（２２、２２、２３、２３）が透明合成樹脂フィルム製の箱状袋（２０）により被覆し、床面（図示しない）から約１５センチメートルの高さまでは、前記箱状袋（２０）の各側面部（２２、２２、２３、２３）に、発泡ポリウレタン等の発泡プラスチック板（２２１、２２１、２３１、２３１）をシリコーン接着剤を介して接着して前記箱状袋（２０）内の無人飛行機（図示しない）を取り出すことができるようにし、前記箱状袋（２０）の内部に、ドローン等の無人飛行機（図示しない）を飛行させて飛行練習又は飛行競技ができるようにすると共に、前記無人飛行機（図示しない）の飛行に従事する人員及び見学者等（図示しない）が前記無人飛行機（図示しない）の飛行に衝突する事故を前記箱状袋（２０）によって未然に防止する安全管理ができるようにしたものである。
請求項２に記載された本発明のドローン等の無人飛行機の飛行練習用又は飛行競技用の飛行装置は、上記課題を達成するため、図２−１に図示するように、鋼管製柱状物（１５Ａ、１５Ａ、１６Ａ、１６Ａ）及び鋼管製梁状物（１１Ａ、１１Ａ、１２Ａ、１２Ａ、１３Ａ、１３Ａ、１４Ａ、１４Ａ）、ねじ止着による鋼製３方継手（１７Ａ、１７Ａ、１７Ａ、１７Ａ、１７Ａ、１７Ａ、１７Ａ、１７Ａ）、鋼製内接中間継手（１９ａ、１９ａ、１９ａ、１９ａ）又はねじ止着による外接合成樹脂製中間継手（１９ｂ、１９ｂ、１９ｂ、１９ｂ）を介してテーブル、机等の上に置けるサイズの鋼製箱状枠（１０Ａ）をつくり、前記箱状枠（１０Ａ）の外側を上面部（２１Ａ）及び各側面部（２２Ａ、２２Ａ、２３Ａ、２３Ａ）が透明合成樹脂フィルム製の箱状袋（２０Ａ）により被覆し、前記箱状袋（２０Ａ）の内部に、モデルドローン、モデルヘリコプター等の無人飛行機（図示しない）を飛行させて飛行練習又は飛行競技ができるようにすると共に、前記無人飛行機（図示しない）の飛行に従事する人員及び見学者等（図示しない）が前記無人飛行機（図示しない）の飛行に衝突する事故を前記箱状袋（２０Ａ）によって未然に防止する安全管理ができるようにしたものである。
請求項３に記載された本発明のドローン等の無人飛行機の飛行練習用又は飛行競技用の飛行装置は、上記課題を達成するため、図２−２に図示するように、鋼管製柱状物（１５Ｂ、１５Ｂ、１６Ｂ、１６Ｂ）及び鋼管製梁状物（１１Ｂ、１１Ｂ、１２Ｂ、１２Ｂ、１３Ｂ、１３Ｂ、１４Ｂ、１４Ｂ）、ねじ止着による鋼製３方継手（１７Ｂ、１７Ｂ、１７Ｂ、１７Ｂ、１７Ｂ、１７Ｂ、１７Ｂ、１７Ｂ）、鋼製内接中間継手（１９ａ、１９ａ、１９ａ、１９ａ）又はねじ止着による外接合成樹脂製中間継手（１９ｂ、１９ｂ、１９ｂ、１９ｂ）を介して鋼製箱状枠（１０Ｂ）をつくり、前記箱状枠（１０Ｂ）の外側を透明合成樹脂フィルム製の箱状袋（２０Ｂ）により被覆し、床面（図示しない）から約１５センチメートルの高さまでは、前記箱状袋（２０Ｂ）の各側面部（２２Ｂ、２３Ｂ、２４Ｂ、２５Ｂ）に、発泡ポリウレタン等の発泡プラスチック板（２２１Ｂ、２２１Ｂ、２３１Ｂ、２３１Ｂ）をシリコーン接着剤を介して接着して前記箱状袋（２０Ｂ）内の無人飛行機（図示しない）を取り出すことができるようにし、前記箱状袋（２０Ｂ）の内部に、ドローン等の無人飛行機を（図示しない）飛行させて飛行練習又は飛行競技ができるようにすると共に、前記無人飛行機（図示しない）の飛行に従事する人員及び見学者等（図示しない）が前記無人飛行機（図示しない）の飛行に衝突する事故を前記箱状袋（２０Ｂ）によって未然に防止する安全管理ができるようにしたものである。
【発明の効果】
【０００６】
本発明は、室内において、窓の開きや冷暖房が稼働して風圧を生じていても、密封状態の飛行装置内では、ドローン等の無人飛行機は、正確に飛行できる上に、指導者、飛行練習者、飛行競技者及び見学者等は、前記無人飛行が顔面その他の身体に衝突する危険性は全くなく、特に、請求項２のものは、小面積の卓上用又は床面用として、年少者、婦人、高齢者等が家庭内の一家団欒用として模型無人飛行機の飛行練習や飛行競技に、ゲーム感覚で安全に楽しめる大きな利点がある。さらに、請求項２及び請求項３のものは、中間継手により、日本の地方在住者や訪日外国人の方の便宜を図るため、中間継手を使用して鋼管長さを６０ｃｍ以内として航空機搭乗の荷物及び携行品として考慮したので大きく期待できるものである。
【図面の簡単な説明】
【０００７】
【図１−１】ドローン等の無人飛行機の飛行練習又は飛行競技を行えるようにした飛行装置の全体概略説明図である。
【図２−１】別のドローン等の無人飛行機の飛行練習又は飛行競技を行えるようにした飛行装置の全体概略説明図である。
【図２−２】さらに別のドローン等の無人飛行機の飛行練習又は飛行競技を行えるようにした飛行装置の全体概略説明図である。
【発明を実施するための形態】
【０００８】
本発明の実施形態が実施例１、実施例２及び実施例３に記載される。
【実施例１】
【０００９】
実施例１が、図１−１に示されている。実施例１は、鋼管製箱状枠（１０）と、合成樹脂フィルム製箱状袋（２０）とからなっている。
鋼管製箱状枠（１０）は、鋼管製梁状物が、前鋼管（１１）２本、後鋼管（１２）２本、右鋼管（１３）２本、左鋼管（１４）２本を設け、鋼管製柱状物が、右鋼管（１５）２本、左鋼管（１６）２本を設けると共に、ねじ止着による３方継手（１７）４個、４方継手（１７）４個、車輪（１８）４個とを設けている。本実施例による箱状枠（１０）は、各鋼管、各継手、各車輪毎に分解して、自動車搭載ができるもので、後述するように、図２−１の実施例２、図２−２の実施例３のように、中間継手を介して、６０ｃｍ以内の短い鋼管に分解して荷物として発送できるようにすることもできる。
合成樹脂フィルム製箱状袋（２０）は、上面部（２１）、各側面部（２２、２２、２３、２３）から形成されて、箱状枠（１０）の外側に被覆され、各側面部（２２、２２、２３、２３）の下端には、床面（図示しない）との間に、発泡ポリウレタン等の発泡プラスチック板（２２１、２２１、２３１、２３１）が床面（図示しない）に接地されて、これを上げ下げすることにより箱状袋（２０）内に入れた無人飛行機（図示しない）その他の取り出しができるようにしている。また、箱状袋（２０）によって無人飛行機の飛行に従事する人員及び見学者等が無人飛行機に衝突する事故を未然に防止する安全管理ができるようにしている。
【実施例２】
【００１０】
実施例２が、図２−１に示されている。実施例２は、鋼管製箱状枠（１０Ａ）と、合成樹脂フィルム製箱状袋（２０Ａ）とからなっている。
鋼管製箱状枠（１０Ａ）は、鋼管製梁状物が、前鋼管（１１Ａ）４本、後鋼管（１２Ａ）４本、右鋼管（１３Ａ）２本、左鋼管（１４Ａ）２本を設け、鋼管製柱状物は、右鋼管（１５Ａ）２本、左鋼管（１６Ａ）２本とを設け、３方継手（１７Ａ）８個、ねじ止着による外接合成樹脂製中間継手（１９ｂ）４個を設けている。
合成樹脂フィルム製箱状袋（２０Ａ）は、上面部（２１Ａ）、各側面部（２２Ａ、２２Ａ、２３Ａ、２３Ａ）から形成されて、箱状枠（１０Ａ）の外側に被覆されている。
実施例２のものは、テーブル、机の上に置けるサイズのもので、主として、モデルドローン、モデルヘリコプター等の模型形無人飛行機（図示しない）を飛行させて飛行練習又は飛行競技ができるようにすると共に、箱状袋（２０Ａ）内に入れた模型無人飛行機の安全管理ができるようにしている。なお、無人飛行機等の出し入れは、本実施例のものを傾けることにより行われる。中間継手を使用したのは、鋼管長さを６０ｃｍ以内として航空機を利用する地方在住者及び訪日外国人のため、各人の４輪バックによる航空荷物及び手荷物の規則を考慮したものである。
【実施例３】
【００１１】
実施例３が、図２−２に示されている。実施例３は、写真撮影ができる小ドローンの実機の飛行練習や飛行競技ができる最小限度の容積の鋼管製箱状枠（１０Ｂ）と、その外側を被覆する合成樹脂フィルム製箱状袋（２０Ｂ）を備え、かつ、中間継手（１９ｂ）を使用して、鋼管長さを６０ｃｍ以内として、４輪バッグ、航空荷物規則及び手荷物規則を考慮して搭載できるようにしたものである。
箱状枠（１０Ｂ）、合成樹脂フィルム製箱状袋（２０Ｂ）及び発泡ポリウレタン等の発泡プラスチック板（２２１Ｂ、２２１Ｂ、２３１Ｂ、２３１Ｂ）については実施例１と同様であるので詳細説明は省略する。
【産業上の利用可能性】
【００１２】
本発明器具は、量産できるととも共に、安価に製作できる。
【符号の説明】
【００１３】
１０、１０Ａ、１０Ｂ              箱状枠
１１、１２、１３、１４            梁状物
１１Ａ、１２Ａ、１３Ａ、１４Ａ    梁状物
１１Ｂ、１２Ｂ、１３Ｂ、１４Ｂ    梁状物
１５、１６                        柱状物
１５Ａ、１６Ａ                    柱状物
１５Ｂ、１６Ｂ                    柱状物
１７                              ３方継手兼４方継手
１７Ａ                            ３方継手兼４方継手
１７Ｂ                            ３方継手兼４方継手
１８                              車輪
１９ａ                            鋼製内接中間継手
１９ｂ                            ねじ止着外接合成樹脂製中間継手
２０                              箱状袋
２０Ａ                            箱状袋
２０Ｂ                            箱状袋
２１、２１Ａ、２１Ｂ              上面部
２２、２３                        側面部
２２Ａ、２３Ａ                    側面部
２２Ｂ、２３Ｂ                    側面部
２２１、２３１                    発泡ポリウレタン等の発泡プラスチック板
２２１Ｂ、２３１Ｂ                発泡ポリウレタン等の発泡プラスチック板
【図１−１】
2020178971.tif 000003
【図２−１】
2020178971.tif 000004
【図２−２】
2020178971.tif 000005
【手続補正書】
【提出日】令和2年2月21日(2020.2.21)
【手続補正１】
【補正対象書類名】明細書
【補正対象項目名】全文
【補正方法】変更
【補正の内容】
【発明の詳細な説明】
【技術分野】
【０００１】
本発明は、２００グラム未満及びおもちゃの分類に属するドローン等の無人飛行機を飛行させて飛行練習又は飛行競技を行うための飛行装置に関する。
【背景技術】
【０００２】
上記無人飛行機は、屋外で飛行練習又は飛行競技を行うことは、天候以外にも、建物、器物、人畜に被害を及ぼす恐れがあり、また、屋内でも前述同様の恐れがある。
そこで、本発明者は、天候、風雨に影響されず、建物、器物に損傷を与えず、また、人畜に被害を及ぼさないように、安全に飛行練習や飛行競技ができる飛行装置を開発することに成功した。
【先行技術文献】
【特許文献】
【０００３】
【非特許文献１】矢崎化工株式会社  イレクターＤＩＹハンドブックイレクターパイプ  カラーリスト、４ページパイプつなぎ  プラスチック  Ｊ−２３Ａ、２１ページパイプつなぎ金具  ６５、３８ページキャスター、３６ページねじ付き３方継手  ＨＪ−２（４方継手）、１２ページ  https://www.diy-life.net/wp/wp-content/uploads/2018/09/DE-185.pdf
【非特許文献２】株式会社オーム電機  デジタルタイマー  品番０７−３７８７http://www.ohm-electric.co.jp/product/c17/c1707/28427/
【非特許文献３】ＡＧＣ株式会社  アフレックスフィルムhttp://www.fluon.jp/products/aflex/index.html
【非特許文献４】ダイキン工業株式会社  ネオフロンＥＴＦＥフィルムhttp://www.daikin.co.jp/chm/products/film/index.html
【非特許文献５】ＡＧＣグリーンテック株式会社  エフクリーンフィルム  補修テープ（透明）５０ｍｍ×１０ｍ巻http://www.f-clean.com/lineup/
【非特許文献６】株式会社童友社  おもちゃドローン、2.4GHz マルチコプター  スパイダー２(MODE2)、http://www.doyusha-model.com/product/rc/dorone_spider2.html
【非特許文献７】株式会社シー・シー・ピー  おもちゃドローン、ラジオコントロール レーシングテトラル  ブルー、https://ccp-jp.com/toy/products/item/240/
【非特許文献８】株式会社 Hitec Multiplex Japan, Inc.  おもちゃドローン、2.4GHz FPVドローン Racer［ レーサー ］（ブルー） HW903HS-B、https://hitecrcd.co.jp/products/racer/
【非特許文献９】シリコーン接着剤、Ｊ−６７２ページ、オレンジブックジュニア２０１９年、http://trusco.meclib.jp/orangebookJr_2019/book/index.html#target/page_no=1
【発明の概要】
【発明が解決しようとする課題】
【０００４】
本発明は、風圧に影響されずに、ドローン等の無人飛行機を飛行させて正確に飛行練習又は飛行競技が行えるようにした飛行装置を提供するものである。
また、本発明は、指導者、飛行練習者、飛行競技者及び見学者等が前記無人飛行機に衝突する事故を未然に防止する安全管理ができるようにした飛行装置を提供するものである。
また、本発明は、家庭内で、小さい床面積を利用して、年少者、婦人、高齢者等が、おもちゃの無人飛行機を、ゲーム感覚で飛行させて、安全に全員が楽しめるようにした飛行装置を提供するものである。
さらに、本発明は、１機の無人飛行機を複数の飛行練習者が交替して飛行練習できるようにし、また、無人飛行機１機を使用して複数の飛行競技者が一定の競技内容を正確に飛行する飛行時間の早さを、光及び音の出るタイムウォッチで測る競技を提供できるようにした飛行装置を提供するものである。
【課題を解決するための手段】
【０００５】
請求項１に記載された本発明のドローン等の無人飛行機（図示しない）の飛行練習用又は飛行競技用の飛行装置は、鋼管製柱状物及び鋼管製梁状物、ねじ止着による鋼製３方継手及び車輪付の４方継手を介して鋼製箱状枠組みをつくり、前記箱状枠組みの外側を、上面部及び各側面部が透明合成樹脂フィルム製の被覆袋により被覆し、前記被覆袋の内部に、ドローン等の無人飛行機（図示しない）を飛行させて飛行練習又は飛行競技ができるようにすると共に、前記無人飛行機の飛行に従事する人員及び見学者等が前記無人飛行機（図示しない）の飛行に衝突する事故を前記被覆袋によって未然に防止する安全管理ができるようにしたものである。
請求項２に記載された本発明のドローン等の無人飛行機の飛行練習用又は飛行競技用の飛行装置は、請求項１に記載された本発明において、前記箱状枠組みの前記鋼管製柱状枠及び鋼管製梁状物を数本に分割して、これらの分割管を各人の航空機に搭載できる荷物の長さ以内にすると共に、内接又は外接中間継手を所要本数設け、また前記被覆袋を折り畳んで収容できるようにして、航空機を利用する地方在住者及び訪日外国人のために航空荷物及び手荷物の規定を考慮したものである。
請求項３に記載された本発明のドローン等の無人飛行機の飛行練習用又は飛行競技用の飛行装置は、鋼管製柱状物及び鋼管製梁状物、ねじ止着による鋼製３方継手、鋼製内接中間継手又はねじ止着による外接合成樹脂製中間継手を介して鋼製箱状枠組みをつくり、前記箱状枠組みの外側を、上面部及び各側面部が透明合成樹脂フィルム製の被覆袋により被覆し、前記被覆袋の内部に、ドローン等の無人飛行機を飛行させて飛行練習又は飛行競技ができるようにすると共に、前記無人飛行機の飛行に従事する人員及び見学者等が前記無人飛行機の飛行に衝突する事故を前記被覆袋によって未然に防止する安全管理ができるようにしたものである。
【発明の効果】
【０００６】
本発明は、室内において、窓の開きや冷暖房が稼働して風圧を生じていても、密封状態の飛行装置内では、ドローン等の無人飛行機は、正確に飛行できる上に、指導者、飛行練習者、飛行競技者及び見学者等は、前記無人飛行が顔面その他の身体に衝突する危険性は全くなく、特に、小面積の卓上用又は床面用として、年少者、婦人、高齢者等が家庭内の一家団欒用としておもちゃに分類される無人飛行機の飛行練習や飛行競技に、ゲーム感覚で安全に楽しめる大きな利点がある。さらに、中間継手により、日本の地方在住者や訪日外国人の方の便宜を図るため、鋼管長さを６０ｃｍ程度として航空機搭乗の荷物及び携行品として考慮したので大きく期待できるものである。
【図面の簡単な説明】
【０００７】
【図１−１】ドローン等の無人飛行機の飛行練習又は飛行競技を行えるようにした飛行装置の全体概略説明図である。
【図２−１】別のドローン等の無人飛行機の飛行練習又は飛行競技を行えるようにした飛行装置の全体概略説明図である。
【図２−２】さらに別のドローン等の無人飛行機の飛行練習又は飛行競技を行えるようにした飛行装置の全体概略説明図である。
【発明を実施するための形態】
【０００８】
本発明の実施形態が実施例１、実施例２及び実施例３に記載される。
【実施例１】
【０００９】
実施例１が、図１−１に示されている。実施例１は、鋼管製箱状枠組み（１０）と、合成樹脂フィルム製被覆袋（２０）とからなっている。
鋼管製箱状枠組み（１０）は、鋼管製梁状物が、前鋼管（１１）２本、後鋼管（１２）２本、右鋼管（１３）２本、左鋼管（１４）２本を設け、鋼管製柱状物が、右鋼管（１５）２本、左鋼管（１６）２本を設けると共に、ねじ止着による３方継手（１７）４個、４方継手（１７）４個、車輪（１８）４個とを設けている。本実施例による箱状枠組み（１０）は、各鋼管、各継手、各車輪毎に分解して、自動車搭載ができるもので、後述するように、図２−１の実施例２、図２−２の実施例３のように、中間継手を介して、６０ｃｍ程度の短い鋼管に分解して荷物として発送できるようにすることもできる。
合成樹脂フィルム製被覆袋（２０）は、上面部（２１）、各側面部（２２、２２、２３、２３）から形成されて、箱状枠組み（１０）の外側に被覆される。被覆袋（２０）によって無人飛行機の飛行に従事する人員及び見学者等が無人飛行機に衝突する事故を未然に防止する安全管理ができるようにしている。
【実施例２】
【００１０】
実施例２が、図２−１に示されている。実施例２は、鋼管製箱状枠組み（１０Ａ）と、合成樹脂フィルム製被覆袋（２０Ａ）とからなっている。
鋼管製箱状枠組み（１０Ａ）は、鋼管製梁状物が、前鋼管（１１Ａ）４本、後鋼管（１２Ａ）４本、右鋼管（１３Ａ）２本、左鋼管（１４Ａ）２本を設け、鋼管製柱状物は、右鋼管（１５Ａ）２本、左鋼管（１６Ａ）２本とを設け、３方継手（１７Ａ）８個、ねじ止着による外接合成樹脂製中間継手（１９ｂ）４個を設けている。
合成樹脂フィルム製被覆袋（２０Ａ）は、上面部（２１Ａ）、各側面部（２２Ａ、２２Ａ、２３Ａ、２３Ａ）から形成されて、箱状枠組み（１０Ａ）の外側に被覆されている。
また、中間継手として鋼管内接中間継手である打ち込みタイプ、回転による取りはずしできる取りはずし可能の接着剤使用のものも含まれる。
実施例２のものは、テーブル、机の上に置けるサイズのもので、主として、モデルドローン、モデルヘリコプター等の模型形無人飛行機（図示しない）を飛行させて飛行練習又は飛行競技ができるようにすると共に、被覆袋（２０Ａ）内に入れた前記無人飛行機の安全管理ができるようにしている。なお、無人飛行機等の出し入れは、本実施例のものを傾けることにより行われる。中間継手を使用したのは、鋼管長さを６０ｃｍ程度として航空機を利用する地方在住者及び訪日外国人のため、各人の４輪バックによる航空荷物及び手荷物の規則を考慮したものである。
【実施例３】
【００１１】
実施例３が、図２−２に示されている。実施例３は、写真撮影ができる小ドローンの実機の飛行練習や飛行競技ができる最小限度の容積の鋼管製箱状枠組み（１０Ｂ）と、その外側を被覆する合成樹脂フィルム製被覆袋（２０Ｂ）を備え、かつ、中間継手（１９ｂ）を使用して、鋼管長さを６０ｃｍ程度として、４輪バッグ、航空荷物規則及び手荷物規則を考慮して搭載できるようにしたものである。
箱状枠組み（１０Ｂ）、合成樹脂フィルム製被覆袋（２０Ｂ）については実施例１と同様であるので詳細説明は省略する。
【産業上の利用可能性】
【００１２】
本発明器具は、量産できるととも共に、安価に製作できる。
【符号の説明】
【００１３】
１０、１０Ａ、１０Ｂ              箱状枠組み
１１、１２、１３、１４            梁状物
１１Ａ、１２Ａ、１３Ａ、１４Ａ    梁状物
１１Ｂ、１２Ｂ、１３Ｂ、１４Ｂ    梁状物
１５、１６                        柱状物
１５Ａ、１６Ａ                    柱状物
１５Ｂ、１６Ｂ                    柱状物
１７                              ３方継手兼４方継手
１７Ａ                            ３方継手兼４方継手
１７Ｂ                            ３方継手兼４方継手
１８                              車輪
１９ａ                            鋼製内接中間継手
１９ｂ                            ねじ止着外接合成樹脂製中間継手
２０                              被覆袋
２０Ａ                            被覆袋
２０Ｂ                            被覆袋
２１、２１Ａ、２１Ｂ              上面部
２２、２３                        側面部
２２Ａ、２３Ａ                    側面部
２２Ｂ、２３Ｂ                    側面部

【手続補正２】
【補正対象書類名】特許請求の範囲
【補正対象項目名】全文
【補正方法】変更
【補正の内容】
【特許請求の範囲】
【請求項１】
鋼管製柱状物及び鋼管製梁状物、ねじ止着による鋼製３方継手及び車輪付の４方継手を介して鋼製箱状枠組みをつくり、前記箱状枠組みの外側を、上面部及び各側面部が透明合成樹脂フィルム製の被覆袋により被覆し、前記被覆袋の内部に、ドローン等の無人飛行機を飛行させて飛行練習又は飛行競技ができるようにすると共に、前記無人飛行機の飛行に従事する人員及び見学者等が前記無人飛行機の飛行に衝突する事故を前記被覆袋によって未然に防止する安全管理ができるようにしたことを特徴としたドローン等の無人飛行機の飛行練習用又は飛行競技用の飛行装置。
【請求項２】
前記箱状枠組みの前記鋼管製柱状枠及び鋼管製梁状物を数本に分割して、これらの分割管を各人の航空機に搭載できる荷物の長さ以内にすると共に、内接又は外接中間継手を所要本数設け、また前記被覆袋を折り畳んで収容できるようにして、航空機を利用する地方在住者及び訪日外国人のために航空荷物及び手荷物の規定を考慮したことを特徴とした請求項１記載のドローン等の無人飛行機の飛行練習用又は飛行競技用の飛行装置。
【請求項３】
鋼管製柱状物及び鋼管製梁状物、ねじ止着による鋼製３方継手、鋼製内接中間継手又はねじ止着による外接合成樹脂製中間継手を介して鋼製箱状枠組みをつくり、前記箱状枠組みの外側を、上面部及び各側面部が透明合成樹脂フィルム製の被覆袋により被覆し、前記被覆袋の内部に、ドローン等の無人飛行機を飛行させて飛行練習又は飛行競技ができるようにすると共に、前記無人飛行機の飛行に従事する人員及び見学者等が前記無人飛行機の飛行に衝突する事故を前記被覆袋によって未然に防止する安全管理ができるようにしたことを特徴としたドローン等の無人飛行機の飛行練習用又は飛行競技用の飛行装置。
【手続補正４】
【補正対象書類名】図面
【補正対象項目名】図１−１
【補正方法】変更
【補正の内容】
【図１−１】
2020178971.tif 000006
【手続補正５】
【補正対象書類名】図面
【補正対象項目名】図２−２
【補正方法】変更
【補正の内容】
【図２−２】
2020178971.tif 000007